(57)【要約】  ユーザ端末あたりに設定可能なコンポーネントキャリア数が既存システムより拡張される場合であっても、非周期ＣＳＩ報告を柔軟に行うこと。本発明のユーザ端末は、異なるコンポーネントキャリアの複数のサービングセルにおいて無線基地局と通信する。上記ユーザ端末は、少なくとも一つのサービングセルで構成されるセルセットのチャネル状態情報の送信指示を含む上りスケジューリンググラントを受信する受信部と、上記上りスケジューリンググラントが指示する上り共有チャネルを用いて、上記上りスケジューリンググラントに基づいて、異なるセルセットのチャネル状態情報を送信する送信部と、を具備する。
2016121912.tif 000002
【特許請求の範囲】
【請求項１】
異なるコンポーネントキャリアの複数のサービングセルにおいて無線基地局と通信するユーザ端末であって、
少なくとも一つのサービングセルで構成されるセルセットのチャネル状態情報の送信指示を含む上りスケジューリンググラントを受信する受信部と、
前記上りスケジューリンググラントが指示する上り共有チャネルを用いて、前記上りスケジューリンググラントに基づいて、異なるセルセットのチャネル状態情報を送信する送信部と、を具備することを特徴とするユーザ端末。
【請求項２】
前記送信部は、前記上りスケジューリンググラントを受信するサービングセルに応じて、異なるセルセットのチャネル状態情報を送信することを特徴とする請求項１に記載のユーザ端末。
【請求項３】
前記送信部は、前記上りスケジューリンググラントが指示する前記上り共有チャネルが送信されるサービングセルに応じて、異なるセルセットのチャネル状態情報を送信することを特徴とする請求項１に記載のユーザ端末。
【請求項４】
前記送信部は、前記上りスケジューリンググラントを受信するサブフレームに応じて、異なるセルセットにおけるチャネル状態情報を送信することを特徴とする請求項１に記載のユーザ端末。
【請求項５】
前記送信部は、前記上りスケジューリンググラントが指示する前記上り共有チャネルが送信されるサブフレームに応じて、異なるセルセットにおけるチャネル状態情報を送信することを特徴とする請求項１に記載のユーザ端末。
【請求項６】
前記受信部は、上位レイヤシグナリングにより、前記異なるセルセットを示す情報を受信することを特徴とする請求項１から請求項５のいずれかに記載のユーザ端末。
【請求項７】
前記異なるコンポーネントキャリアは、６以上のコンポーネントキャリアであることを特徴とする請求項１から請求項６のいずれかに記載のユーザ端末。
【請求項８】
異なるコンポーネントキャリアの複数のサービングセルにおいてユーザ端末と通信する無線基地局であって、
少なくとも一つのサービングセルで構成されるセルセットのチャネル状態情報の送信指示を含む上りスケジューリンググラントを送信する送信部と、
前記上りスケジューリンググラントが指示する上り共有チャネルを用いて、前記上りスケジューリンググラントに基づいて送信される異なるセルセットのチャネル状態情報を受信する受信部と、を具備することを特徴とする無線基地局。
【請求項９】
異なるコンポーネントキャリアの複数のサービングセルにおいて無線基地局とユーザ端末とが通信する無線通信システムであって、
前記無線基地局は、少なくとも一つのサービングセルで構成されるセルセットのチャネル状態情報の送信指示を含む上りスケジューリンググラントを送信し、
前記ユーザ端末は、前記上りスケジューリンググラントが指示する上り共有チャネルを用いて、前記上りスケジューリンググラントに基づいて、異なるセルセットのチャネル状態情報を送信することを特徴とする無線通信システム。
【請求項１０】
異なるコンポーネントキャリアの複数のサービングセルにおいて無線基地局とユーザ端末とが通信する無線通信方法であって、
前記無線基地局が、少なくとも一つのサービングセルで構成されるセルセットのチャネル状態情報の送信指示を含む上りスケジューリンググラントを送信する工程と、
前記ユーザ端末が、前記上りスケジューリンググラントが指示する上り共有チャネルを用いて、前記上りスケジューリンググラントに基づいて、異なるセルセットのチャネル状態情報を送信する工程と、を有することを特徴とする無線通信方法。
【発明の詳細な説明】
【技術分野】
【０００１】
本発明は、次世代移動通信システムにおけるユーザ端末、無線基地局、無線通信システム及び無線通信方法に関する。
【背景技術】
【０００２】
ＵＭＴＳ（Universal  Mobile  Telecommunication  System）ネットワークにおいて、さらなる高速データレート、低遅延などを目的としてロングタームエボリューション（ＬＴＥ：Long  Term  Evolution）が仕様化された（非特許文献１）。ＬＴＥ（ＬＴＥ  Ｒｅｌ．８ともいう）からのさらなる広帯域化および高速化を目的として、ＬＴＥアドバンスト（ＬＴＥ  Ｒｅｌ．１０、１１又は１２ともいう）が仕様化され、後継システム（ＬＴＥ  Ｒｅｌ．１３等ともいう）も検討されている。【０００３】
ＬＴＥ  Ｒｅｌ．１０／１１のシステム帯域は、ＬＴＥ  Ｒｅｌ．８のシステム帯域を一単位とする少なくとも１つのコンポーネントキャリア（ＣＣ：Component  Carrier）を含んでいる。このように、複数のコンポーネントキャリアを集めて広帯域化することをキャリアアグリゲーション（ＣＡ：Carrier  Aggregation）という。【０００４】
ＬＴＥ  Ｒｅｌ．８−１２では、特定の事業者に利用が制限される周波数帯、すなわちライセンスバンドにおいて排他的な運用がなされることを想定して仕様化が行われた。ライセンスバンドとしては、たとえば１００ＭＨｚ、８００ＭＨｚ、２ＧＨｚまたは１．７ＧＨｚなどが使用される。【０００５】
ＬＴＥ  Ｒｅｌ．１３以降では、特定の事業者に利用が制限されない周波数帯、すなわちアンライセンスバンドにおける運用もターゲットとして検討されている。アンライセンスバンドとしては、たとえば３００ＭＨｚ、Ｗｉ−Ｆｉと同じ２．４ＧＨｚまたは５ＧＨｚ帯などが使用される。Ｒｅｌ．１３  ＬＴＥでは、ライセンスバンドとアンライセンスバンドの間でのキャリアアグリゲーション（ＬＡＡ：License-Assisted  Access）も検討されている。
【先行技術文献】
【非特許文献】
【０００６】
【非特許文献１】3GPP  TS  36.300  Rel.8  “Evolved  Universal  Terrestrial  Radio  Access  (E-UTRA)  and  Evolved  Universal  Terrestrial  Radio  Access  Network  (E-UTRAN);  Overall  description;  Stage  2”
【発明の概要】
【発明が解決しようとする課題】
【０００７】
ＬＴＥ  Ｒｅｌ．１０−１２のキャリアアグリゲーションでは、ユーザ端末あたりに設定可能なコンポーネントキャリア数が最大５個に制限されている。ＬＴＥ  Ｒｅｌ．１３以降のキャリアアグリゲーションでは、更なる帯域拡張を実現するため、ユーザ端末あたりに設定可能なコンポーネントキャリア数を６個以上に拡張すること（例えば、１６個、３２個など）が検討されている。【０００８】
ユーザ端末に設定可能なＣＣ数が６個以上（例えば、３２個）に拡張される場合、既存システム（Ｒｅｌ．１０−１２）の送信方法をそのまま適用することが困難になると考えられる。例えば、既存システムでは、無線基地局からの送信指示に応じてユーザ端末がチャネル状態情報（ＣＳＩ：Channel  State  Information）を送信する非周期ＣＳＩ報告（Aperiodic  CSI  report）がサポートされている。【０００９】
しかしながら、既存システムでは、コンポーネントキャリアが５個以下を前提としているため、コンポーネントキャリア数が６個以上に拡張される場合に既存システムの方法をそのまま利用すると、非周期ＣＳＩ報告（Aperiodic  CSI  report）を拡張されたコンポーネントキャリア数に対応して柔軟に行うことができない恐れがある。【００１０】
本発明はかかる点に鑑みてなされたものであり、ユーザ端末あたりに設定可能なコンポーネントキャリア数が既存システムより拡張される場合であっても、非周期ＣＳＩ報告を柔軟に行うことが可能なユーザ端末、無線基地局、無線通信システムおよび無線通信方法を提供することを目的とする。
【課題を解決するための手段】
【００１１】
本発明のユーザ端末は、異なるコンポーネントキャリアの複数のサービングセルにおいて無線基地局と通信するユーザ端末であって、少なくとも一つのサービングセルで構成されるセルセットのチャネル状態情報の送信指示を含む上りスケジューリンググラントを受信する受信部と、前記上りスケジューリンググラントが指示する上り共有チャネルを用いて、前記上りスケジューリンググラントに基づいて、異なるセルセットのチャネル状態情報を送信する送信部と、を具備することを特徴とする。
【発明の効果】
【００１２】
本発明によれば、ユーザ端末あたりに設定可能なコンポーネントキャリア数が既存システムより拡張される場合であっても、非周期ＣＳＩ報告を柔軟に行うことができる。
【図面の簡単な説明】
【００１３】
【図１】キャリアアグリゲーションの説明図である。
【図２】２ビットのＡ−ＣＳＩトリガの説明図である。
【図３】態様１．１における非周期ＣＳＩ報告の一例の説明図である。
【図４】態様１．２における非周期ＣＳＩ報告の一例の説明図である。
【図５】態様１．３における非周期ＣＳＩ報告の一例の説明図である。
【図６】態様１．４における非周期ＣＳＩ報告の一例の説明図である。
【図７】ＴＤＤ方式におけるＵＬ／ＤＬ構成の説明図である。
【図８】態様２における非周期ＣＳＩ報告の一例の説明図である。
【図９】態様３における非周期ＣＳＩ報告の一例の説明図である。
【図１０】本実施の形態に係る無線通信システムの概略構成の一例を示す図である。
【図１１】本実施の形態に係る無線基地局の全体構成の一例を示す図である。
【図１２】本実施の形態に係る無線基地局の機能構成の一例を示す図である。
【図１３】本実施の形態に係るユーザ端末の全体構成の一例を示す図である。
【図１４】本実施の形態に係るユーザ端末の機能構成の一例を示す図である。
【発明を実施するための形態】
【００１４】
図１は、キャリアアグリゲーション（ＣＡ）の説明図である。図１に示すように、ＬＴＥ  Ｒｅｌ．１２までのＣＡでは、ＬＴＥ  Ｒｅｌ．８のシステム帯域を一単位とするコンポーネントキャリア（ＣＣ）が最大５個（ＣＣ＃１〜ＣＣ＃５）束ねられる。すなわち、ＬＴＥ  Ｒｅｌ．１２までのキャリアアグリゲーションでは、ユーザ端末（ＵＥ：User  Equipment）あたりに設定可能なＣＣ数は、最大５個に制限される。
【００１５】
一方、ＬＴＥ  Ｒｅｌ．１３のキャリアアグリゲーションでは、６個以上のＣＣを束ねて、更なる帯域拡張を図ることが検討されている。すなわち、ＬＴＥ  Ｒｅｌ．１３のキャリアアグリゲーションでは、ユーザ端末あたりに設定可能なＣＣ数を６個以上に拡張すること（CA  enhancement）が検討されている。例えば、図１に示すように、３２個のＣＣ（ＣＣ＃１〜ＣＣ＃３２）を束ねる場合、最大６４０ＭＨｚの帯域を確保可能となる。
【００１６】
このように、ユーザ端末あたりに設定可能なＣＣ数を拡張することにより、より柔軟且つ高速な無線通信を実現することが期待されている。また、このようなＣＣ数の拡張は、ライセンスバンドとアンライセンスバンドとの間のキャリアアグリゲーション（ＬＡＡ：License-Assisted  Access）による広帯域化に効果的である。例えば、ライセンスバンドの５個のＣＣ（＝１００ＭＨｚ）とアンライセンスバンドの１５個のＣＣ（＝３００ＭＨｚ）とを束ねる場合、４００ＭＨｚの帯域を確保可能となる。
【００１７】
ところで、ＬＴＥ  Ｒｅｌ．１０−１２では、無線基地局からの送信指示に応じて、ユーザ端末がチャネル状態情報（ＣＳＩ）を送信する非周期ＣＳＩ報告がサポートされる。無線基地局からの送信指示（以下、Ａ−ＣＳＩトリガという）は、下り制御チャネル（ＰＤＣＣＨ：Physical  Downlink  Control  Channel）で送信される上りスケジューリンググラント（以下、ＵＬグラント（Uplink  grant）という）に含まれる。
【００１８】
非周期ＣＳＩ報告では、ユーザ端末は、ＵＬグラントに含まれるＡ−ＣＳＩトリガに従って、当該ＵＬグラントで指定された上り共有チャネル（ＰＵＳＣＨ：Physical  Uplink  Shared  Channel）を用いて、ＣＳＩを送信する。なお、Ａ−ＣＳＩトリガに従って送信されるＣＳＩは、非周期ＣＳＩ（Ａ−ＣＳＩ：Aperiodic  CSI）などと呼ばれてもよい。このＣＳＩは、チャネル品質識別子（ＣＱＩ：Channel  Quality  Indicator）、プリコーディングマトリクス識別子（ＰＭＩ：Precoding  Matrix  Indicator）、ランク識別子（ＲＩ：Rank  Indicator）の少なくとも一つを含む。
【００１９】
非周期ＣＳＩ報告において、ＵＬグラントに含まれるＡ−ＣＳＩトリガは、１ビット又は２ビットである。具体的には、共通サーチスペース（Ｃ−ＳＳ：Common  Search  Space）で送信されるＵＬグラントには、１ビットのＡ−ＣＳＩトリガが含まれる。一方、ユーザ端末固有サーチスペース（ＵＥ−ＳＳ：User  Equipment  specific  Search  Space）には、２ビットのＡ−ＣＳＩトリガが含まれる。
【００２０】
１ビットのＡ−ＣＳＩトリガでは、ＣＳＩを送信するか否かが指示される。例えば、Ａ−ＣＳＩトリガの値が“０”である場合、ＣＳＩの送信無しが指示され、当該値が“１”である場合、ＰＵＳＣＨを送信するサービングセルのＣＳＩを送信が指示される。
【００２１】
一方、２ビットのＡ−ＣＳＩトリガでは、ＣＳＩを送信するか否かに加えて、どのサービングセルのＣＳＩを送信するかが指示される。ＬＴＥ  Ｒｅｌ．１０−１２のキャリアアグリゲーションでは、２ビットのＡ−ＣＳＩトリガがサポートされている。
【００２２】
図２は、２ビットのＡ−ＣＳＩトリガの一例の説明図である。例えば、図２では、Ａ−ＣＳＩトリガ（CSI  Request  fieldともいう）の値が“００”である場合、ＣＳＩの送信無しが指示され、当該値が“０１”である場合、ＰＵＳＣＨを送信するサービングセル（ＣＣ）のＣＳＩの送信が指示される。また、当該値が“１０”、“１１”である場合、それぞれ、第１、第２のサービングセルセットにおけるＣＳＩの送信が指示される。
【００２３】
なお、サービングセルセットとは、サービングセルの集合であり、少なくとも一つのサービングセルで構成される。図２において、第１、第２のサービングセルセットを構成するサービングセルを示す情報は、ＲＲＣシグナリングなどの上位レイヤシグナリングにより無線基地局からユーザ端末に予め通知される。
【００２４】
以上のような非周期ＣＳＩ報告では、ユーザ端末あたりに設定可能なＣＣ数が６個以上に拡張される場合、ユーザ端末が、拡張されたＣＣ数に対応するＣＳＩを報告できない恐れがある。一度のＡ−ＣＳＩトリガで同時に報告可能なＣＳＩ数であるＣＳＩプロセス数は、ＬＴＥ  Ｒｅｌ．１０−１２のキャリアアグリゲーションでユーザ端末あたりに設定可能なＣＣ数（＝５）に制限されているためである。
【００２５】
また、一度のＡ−ＣＳＩトリガで同時に６個以上のＣＳＩを報告できるとしても、拡張されたＣＣ数に対応するＣＳＩの報告を２ビットのＡ−ＣＳＩトリガで制御する場合、非周期ＣＳＩ報告の柔軟性を損なう恐れがある。図２に示すＡ−ＣＳＩトリガでは、値“１０”、“１１”が示す２種類のサービングセルセットでしかＣＳＩの送信を指示できないためである。
【００２６】
例えば、ユーザ端末あたりに設定可能なＣＣ数が３２個に拡張される場合、Ａ−ＣＳＩトリガの値“１０”、“１１”が示す第１、第２のサービングセルセットに１６個ずつのＣＣのサービングセルを割り当てる（例えば、第１のサービングセルセットにＣＣ＃１−＃１６、第２のサービングセルセットにＣＣ＃１７−＃３２）ことが想定される。しかし、この場合、無線基地局は、ＣＣ＃１−＃４の４個のサービングセルのＣＳＩの送信を指示したくても、Ａ−ＣＳＩトリガの値“１０”を用いて第１のサービングセルセット（ＣＣ＃１−ＣＣ＃１６）のＣＳＩの送信を指示せざるを得ない。
【００２７】
このように、２ビットのＡ−ＣＳＩトリガでは、値“１０”、“１１”が示す２種類のサービングセルセットだけでＣＳＩの送信が制御される。このため、ユーザ端末あたりに設定可能なＣＣ数が６個以上に拡張される場合、所望のＣＣのサービングセルのＣＳＩの送信指示を柔軟に行うことができない恐れがある。
【００２８】
そこで、本発明者らは、ユーザ端末あたりに設定可能なＣＣ数が６個以上に拡張される場合、Ａ−ＣＳＩトリガが示すサービングセルセットの種類を増加させることで、拡張されたＣＣ数に対応する非周期ＣＳＩ報告の柔軟性を確保することを着想した。具体的には、Ａ−ＣＳＩトリガのビット数を増加させずにサービングセルセットの種類を増加させること（態様１及び２）、Ａ−ＣＳＩトリガのビット数を増加させてサービングセルセットの種類を増加させること（態様３）を着想した。
【００２９】
以下、本実施の形態について詳細に説明する。なお、以下においては、キャリアアグリゲーションにおいてユーザ端末あたりに設定可能なＣＣ数が３２個である例を説明するが、これに限られない。また、サービングセルとは、ユーザ端末に設定可能な各ＣＣのセルである。サービングセルセット（セルセット）は、サービングセルの集合であり、少なくとも一つのサービングセルで構成される。以下において、サービングセルセットには、異なるＣＣの複数のサービングセルが含まれるものとするが、同一のＣＣの複数のサービングセルが含まれてもよい。
【００３０】
（態様１）
態様１に係る非周期ＣＳＩ報告では、ユーザ端末は、サービングセルセットのＣＳＩの送信指示（例えば、値“１０”又は“１１”のＡ−ＣＳＩトリガ）を含むＵＬグラントを受信する場合、当該ＵＬグラントに基づいて異なるサービングセルセットのＣＳＩを送信する。具体的には、ユーザ端末は、当該ＵＬグラントに基づいて周波数方向に異なるサービングセルセット（態様１．１及び１．２）、又は、当該ＵＬグラントに基づいて時間方向に異なるサービングセルセット（態様１．３及び１．４）について、ＣＳＩを送信する。
【００３１】
（態様１．１）
態様１．１に係る非周期ＣＳＩ報告では、ユーザ端末は、Ａ−ＣＳＩトリガを含むＵＬグラントを送信するサービングセル（ＣＣ）に応じて、異なるサービングセルセットのＣＳＩを送信する。上りのキャリアアグリゲーションが設定される場合、複数のサービングセル（ＣＣ）でＵＬグラントを送信することが想定される。このため、無線基地局は、Ａ−ＣＳＩトリガを含むＵＬグラントを異なるサービングセル（ＣＣ）で送信することで、異なるサービングセルセットのＣＳＩの送信を指示する。
【００３２】
図３は、態様１．１に係る非周期ＣＳＩ報告の一例の説明図である。図３において、ユーザ端末は、Ａ−ＣＳＩトリガを含むＵＬグラントをプライマリセル（ＣＣ＃１のサービングセル）で受信（検出）する場合、当該Ａ−ＣＳＩトリガの値が“１０”であるならＣＣ＃０−＃４のサービングセルセットのＣＳＩの送信指示であると解釈し、当該値が“１１”であるならＣＣ＃５−＃９のサービングセルセットのＣＳＩの送信指示であると解釈する。
【００３３】
一方、ユーザ端末は、Ａ−ＣＳＩトリガを含むＵＬグラントをセカンダリセル（ＣＣ＃２のサービングセル）で受信する場合、当該Ａ−ＣＳＩトリガの値が“１０”であるならＣＣ＃１０−＃１４のサービングセルセットのＣＳＩの送信指示であると解釈し、当該値が“１１”であるならＣＣ＃１５−＃１９のサービングセルセットのＣＳＩの送信指示であると解釈する。
【００３４】
また、図３において、ネットワーク（例えば、無線基地局）は、サービングセル（ＣＣ）と、当該Ａ−ＣＳＩトリガの値と、サービングセルセットとを関連付ける情報を、ＲＲＣシグナリングなどの上位レイヤシグナリングにより、ユーザ端末に通知する。ユーザ端末は、上位レイヤシグナリングにより通知される上記情報に基づいて、あるサービングセルでＡ−ＣＳＩトリガを含むＵＬグラントを受信した場合、当該Ａ−ＣＳＩトリガの値がどのサービングセルセットのＣＳＩの送信指示であるのかを解釈する。
【００３５】
このように、ユーザ端末は、ＵＬグラントに含まれるＡ−ＣＳＩトリガの値が同一（例えば、“１０”）であっても、当該ＵＬグラントを受信（検出）したサービングセルに応じて、異なるサービングセルセットのＣＳＩの送信指示であると解釈する。このため、上りのキャリアアグリゲーションが設定される場合、Ａ−ＣＳＩトリガのビット数を増加させずに、ＣＳＩを報告可能なサービングセルセット数を増加させることができる。この結果、ユーザ端末あたりに設定可能なＣＣ数（サービングセル数）が６個以上に拡張される場合にも、非周期ＣＳＩ報告の柔軟性を確保できる。
【００３６】
（態様１．２）
態様１．２に係る非周期ＣＳＩ報告では、ユーザ端末は、Ａ−ＣＳＩトリガを含むＵＬグラントが指示するＰＵＳＣＨを送信するサービングセル（ＣＣ）に応じて、異なるサービングセルセットのＣＳＩを送信する。上りのキャリアアグリゲーションが設定される場合、複数のサービングセル（ＣＣ）でＰＵＳＣＨを割り当てることが想定される。このため、無線基地局は、異なるサービングセル（ＣＣ）のＰＵＳＣＨを割り当てる複数のＵＬグラントにＡ−ＣＳＩトリガを含めることで、異なるサービングセルセットのＣＳＩの送信を指示する。なお、当該複数のＵＬグラントは、クロスキャリアスケジューリングにより単一のＣＣで送信されてもよいし、異なる複数のＣＣで送信されてもよい。
【００３７】
図４は、態様１．２に係る非周期ＣＳＩ報告の一例の説明図である。図４では、ＣＣ＃１からＣＣ＃１及び＃２に対して上りのクロスキャリアスケジューリングが設定されているものとする。一方、ＣＣ＃３では、クロスキャリアスケジューリングが設定されていないものとする。
【００３８】
図４において、ユーザ端末は、Ａ−ＣＳＩトリガを含むＵＬグラントで指示されるＰＵＳＣＨをＣＣ＃１のサービングセルで送信する場合、当該Ａ−ＣＳＩトリガの値が“１０”であるならＣＣ＃０−＃４のサービングセルセットのＣＳＩの送信指示であると解釈し、当該値が“１１”であるならＣＣ＃５−＃９のサービングセルセットのＣＳＩの送信指示であると解釈する。
【００３９】
一方、ユーザ端末は、Ａ−ＣＳＩトリガを含むＵＬグラントで指示されるＰＵＳＣＨをＣＣ＃２のサービングセルで送信する場合、当該Ａ−ＣＳＩトリガの値が“１０”であるならＣＣ＃１０−＃１４のサービングセルセットのＣＳＩの送信指示であると解釈し、当該値が“１１”であるならＣＣ＃１５−＃１９のサービングセルセットのＣＳＩの送信指示であると解釈する。
【００４０】
また、ユーザ端末は、Ａ−ＣＳＩトリガを含むＵＬグラントで指示されるＰＵＳＣＨをＣＣ＃３のサービングセルで送信する場合、当該Ａ−ＣＳＩトリガの値が“１０”であるならＣＣ＃２０−＃２４のサービングセルセットのＣＳＩの送信指示であると解釈し、当該値が“１１”であるならＣＣ＃２５−＃２９のサービングセルセットのＣＳＩの送信指示であると解釈する。
【００４１】
また、図４において、ネットワーク（例えば、無線基地局）は、サービングセル（ＣＣ）と、当該Ａ−ＣＳＩトリガの値と、サービングセルセットと、を関連付ける情報を、ＲＲＣシグナリングなどの上位レイヤシグナリングにより、ユーザ端末に通知する。ユーザ端末は、Ａ−ＣＳＩトリガを含むＵＬグラントで指示されるＰＵＳＣＨをあるサービングセルで送信する場合、上位レイヤシグナリングにより通知される上記情報に基づいて、当該Ａ−ＣＳＩトリガの値がどのサービングセルセットのＣＳＩの送信指示であるのかを解釈する。
【００４２】
このように、ユーザ端末は、ＵＬグラントに含まれるＡ−ＣＳＩトリガの値が同一（例えば、“１０”）であっても、当該ＵＬグラントによって指示されるＰＵＳＣＨを送信するサービングセルに応じて、異なるサービングセルセットのＣＳＩの送信指示であると解釈する。このため、上りのキャリアアグリゲーションが設定される場合、Ａ−ＣＳＩトリガのビット数を増加させずに、ＣＳＩを報告可能なサービングセルセット数を増加させることができる。
【００４３】
また、図４に示すように、ＣＣ＃１からクロスキャリアスケジューリングされるＣＣ＃１及びＣＣ＃２向けのＵＬグラントにそれぞれＡ−ＣＳＩトリガが含まれていても、態様１．１では、同一のサービングセルセットのＣＳＩの送信指示であるとしか解釈されないが、態様１．２では、異なる２つのサービングセルセットのＣＳＩの送信指示として解釈できる。したがって、態様１．２では、上りのクロスキャリアスケジューリングが適用される場合にも、ＣＳＩを報告可能なサービングセルセット数を増加させることができる。
【００４４】
（態様１．３）
態様１．３に係る非周期ＣＳＩ報告では、ユーザ端末は、Ａ−ＣＳＩトリガを含むＵＬグラントを受信するサブフレームに応じて、異なるサービングセルセットのＣＳＩを送信する。無線基地局は、Ａ−ＣＳＩトリガを含むＵＬグラントを異なるサブフレームで送信することで、異なるサービングセルセットのＣＳＩの送信を指示する。
【００４５】
態様１．３に係る非周期ＣＳＩ報告は、上りと下りが所定の時間単位（例えば、サブフレーム）で切り替えられる時分割複信（ＴＤＤ）方式で用いられてもよい。ＴＤＤ方式では、無線フレームに含まれる上り／下りサブフレームの構成を定めたＵＬ／ＤＬ構成に従って、通信が行われてもよい。また、ＴＤＤ方式では、下りサブフレームで送信されるＵＬグラントにより、当該下りサブフレームより後の上りサブフレームのＰＵＳＣＨが割り当てられる。
【００４６】
図５は、態様１．３に係る非周期ＣＳＩ報告の一例の説明図である。図５において、ユーザ端末は、Ａ−ＣＳＩトリガを含むＵＬグラントをサブフレーム＃０で受信（検出）する場合、当該Ａ−ＣＳＩトリガの値が“１０”であるならＣＣ＃０−＃４のサービングセルセットのＣＳＩの送信指示であると解釈し、当該値が“１１”であるならＣＣ＃５−＃９のサービングセルセットのＣＳＩの送信指示であると解釈する。
【００４７】
一方、ユーザ端末は、Ａ−ＣＳＩトリガを含むＵＬグラントをサブフレーム＃５で検出する場合、当該Ａ−ＣＳＩトリガの値が“１０”であるならＣＣ＃１０−＃１４のサービングセルセットのＣＳＩの送信指示であると解釈し、当該値が“１１”であるならＣＣ＃１５−＃１９のサービングセルセットのＣＳＩの送信指示であると解釈する。
【００４８】
また、図５において、ネットワーク（例えば、無線基地局）は、サブフレームと、当該Ａ−ＣＳＩトリガの値と、サービングセルセットと、を関連付ける情報を、ＲＲＣシグナリングなどの上位レイヤシグナリングにより、ユーザ端末に通知する。ユーザ端末は、上位レイヤシグナリングにより通知される上記情報に基づいて、あるサブフレームでＡ−ＣＳＩトリガを含むＵＬグラントを検出した場合、当該Ａ−ＣＳＩトリガの値がどのサービングセルセットのＣＳＩの送信指示であるのかを解釈する。
【００４９】
このように、ユーザ端末は、ＵＬグラントに含まれるＡ−ＣＳＩトリガの値が同一（例えば、“１０”）であっても、当該ＵＬグラントが検出されるサブフレームに応じて、異なるサービングセルセットのＣＳＩの送信指示であると解釈する。このため、Ａ−ＣＳＩトリガのビット数を増加させずに、ＣＳＩを報告可能なサービングセルセット数を増加させることができる。この結果、ユーザ端末あたりに設定可能なＣＣ数（サービングセル数）が６個以上に拡張される場合にも、非周期ＣＳＩ報告の柔軟性を確保できる。
【００５０】
（態様１．４）
態様１．４に係る非周期ＣＳＩ報告では、ユーザ端末は、Ａ−ＣＳＩトリガを含むＵＬグラントが指示するＰＵＳＣＨを送信するサブフレームに応じて、異なるサービングセルセットのＣＳＩを送信する。無線基地局は、異なるサブフレームのＰＵＳＣＨを割り当てるＵＬグラントにそれぞれＡ−ＣＳＩトリガを含めることで、異なるサービングセルセットのＣＳＩの送信を指示する。また、態様１．４に係る非周期ＣＳＩ報告は、ＦＤＤ方式とＴＤＤ方式でそれぞれ適用することができる。
【００５１】
図６は、態様１．４に係る非周期ＣＳＩ報告の一例の説明図である。図６において、ユーザ端末は、Ａ−ＣＳＩトリガを含むＵＬグラントで指示されるＰＵＳＣＨをサブフレーム＃６で送信する場合、当該Ａ−ＣＳＩトリガの値が“１０”であるならＣＣ＃０−＃４のサービングセルセットのＣＳＩの送信指示であると解釈し、当該値が“１１”であるならＣＣ＃５−＃９のサービングセルセットのＣＳＩの送信指示であると解釈する。
【００５２】
一方、ユーザ端末は、Ａ−ＣＳＩトリガを含むＵＬグラントで指示されるＰＵＳＣＨをサブフレーム＃７で送信する場合、当該Ａ−ＣＳＩトリガの値が“１０”であるならＣＣ＃１０−＃１４のサービングセルセットのＣＳＩの送信指示であると解釈し、当該値が“１１”であるならＣＣ＃１５−＃１９のサービングセルセットのＣＳＩの送信指示であると解釈する。
【００５３】
また、図６において、ネットワーク（例えば、無線基地局）は、サブフレームと、当該Ａ−ＣＳＩトリガの値と、サービングセルセットと、を関連付ける情報を、ＲＲＣシグナリングなどの上位レイヤシグナリングにより、ユーザ端末に通知する。ユーザ端末は、Ａ−ＣＳＩトリガを含むＵＬグラントで指示されるＰＵＳＣＨをあるサブフレームで送信する場合、上位レイヤシグナリングにより通知される上記情報に基づいて、当該Ａ−ＣＳＩトリガの値がどのサービングセルセットのＣＳＩの送信指示であるのかを解釈する。
【００５４】
このように、ユーザ端末は、ＵＬグラントに含まれるＡ−ＣＳＩトリガの値が同一（例えば、“１０”）であっても、当該ＵＬグラントによって指示されるＰＵＳＣＨを送信するサブフレームに応じて、異なるサービングセルセットのＣＳＩの送信指示であると解釈する。このため、Ａ−ＣＳＩトリガのビット数を増加させずに、ＣＳＩを報告可能なサービングセルセット数を増加させることができる。
【００５５】
また、態様１．４では、ＴＤＤ方式においてＵＬ／ＤＬ構成＃０が用いられる場合でも、ＣＳＩ報告可能なサービングセルセット数を増加させることができる。図７は、ＵＬ／ＤＬ構成＃０の説明図である。図７に示すように、ＵＬ／ＤＬ構成＃０では、１無線フレーム内の上りサブフレーム（“Ｕ”）の数が下りサブフレーム（“Ｄ”）よりも多く設定されている。なお、特別サブフレーム（“Ｓ”）は、３〜１２ＯＦＤＭシンボルからなる下り送信区間（ＤｗＰＴＳ）と１〜２ＯＦＤＭシンボルからなる上り送信区間（ＵｐＰＴＳ）とを含むサブフレームであり、下りサブフレームとしてみなされてもよい。
【００５６】
図７に示すＵＬ／ＤＬ構成＃０では、複数の上りサブフレームのＰＵＳＣＨの送信を指示するＵＬグラントが一つの下りサブフレームで送信される。例えば、図７では、サブフレーム＃６で送信されるＵＬグラントにより、６サブフレーム後及び７サブフレーム後の２個の上りサブフレームのＰＵＳＣＨの送信が指示される。
【００５７】
図７に示すように、複数の上りサブフレームのＰＵＳＣＨの送信を指示するＵＬグラントが単一の下りサブフレームで受信される場合、態様１．３では、同一のサービングセルセットのＣＳＩの送信指示であるとしか解釈されないが、態様１．４では、異なる複数のサービングセルセットのＣＳＩの送信指示として解釈できる。したがって、態様１．４では、ＵＬ／ＤＬ構成＃０のように複数の上りサブフレームのＰＵＳＣＨの送信を指示するＵＬグラントが単一の下りサブフレームで受信される場合にも、ＣＳＩを報告可能なサービングセルセット数を増加させることができる。
【００５８】
（態様２）
態様２に係る非周期ＣＳＩ報告では、ユーザ端末は、ＣＳＩの送信指示を含むＵＬグラントを受信する場合、複数のサブフレームに渡って異なるサービングセルセットのＣＳＩを送信する。この場合、無線基地局は、単一のＡ−ＣＳＩトリガにより、複数のサブフレームに渡る異なるサービングセルセットのＣＳＩの送信を指示することができる。ここで、複数のサブフレームは、連続するサブフレームであってもよいし、不連続の所定時間毎のサブフレームであってもよい。ＣＳＩを送信するＰＵＳＣＨの周波数リソースやＭＣＳは、ＲＲＣ等上位レイヤシグナリングであらかじめ定められたものであっても良いし、ＵＬグラントで指定されたものであってもよい。また、ＣＳＩを送信する複数のサブフレーム間で、周波数リソースやＭＣＳは同一であっても良いし、複数のサブフレーム間ではあらかじめ定められたルールで異なる周波数リソースやＭＣＳを用いるものとしてもよい。例えば複数のサブフレーム間で周波数リソースを変えていくことで、フェージングなどの影響により特定のサブフレームでＰＵＳＣＨを送信する周波数リソースで大きな品質劣化が生じている場合であっても、全てのＣＳＩが正しく受信できなくなる状況を回避することができる。
【００５９】
図８は、態様２に係る非周期ＣＳＩ報告の一例の説明図である。図８において、ユーザ端末は、Ａ−ＣＳＩトリガを含むＵＬグラントをサブフレーム＃０で検出する場合、後続する所定時間（図８では、４ｍｓ）毎のサブフレームで異なるサービングセルセット（Ａ−ＣＳＩセット）のＣＳＩを送信する。
【００６０】
また、図８において、所定時間毎の異なるサービングセルセットのＣＳＩと、他のＵＬグラントで指示されるＰＵＳＣＨとが重複する場合、当該他のＵＬグラントによるＰＵＳＣＨの送信が優先されてもよい。これにより、無線基地局は、不要なサービングセルセットのＣＳＩの送信停止を指示できる。
【００６１】
例えば、図８において、無線基地局は、ＣＣ＃８−＃１１のサービングセルセットのＣＳＩが不要である場合、他のＵＬグラント（例えば、サブフレーム＃８で送信されるＵＬグラント）により、ＣＣ＃８−＃１１のサービングセルセットのＣＳＩと重複するサブフレームにおけるＰＵＳＣＨの送信を指定する。この場合、他のＵＬグラントによるＰＵＳＣＨがＣＣ＃８−＃１１のサービングセルセットのＣＳＩよりも優先される。すなわち、ユーザ端末は、他のＵＬグラントの指示に基づきＰＵＳＣＨを送信し、ＣＳＩ送信を中止する。このように、無線基地局は、不要なＣＣ＃８−＃１１のサービングセルセットのＣＳＩの送信停止を指示できる。
【００６２】
なお、図８では、異なるサービングセルセットのＣＳＩが、不連続の所定時間毎のサブフレームで送信されるが、連続するサブフレームで送信されてもよい。また、図８では、１ビットのＡ−ＣＳＩトリガが用いられてもよいし、２ビットのＡ−ＣＳＩトリガが用いられてもよい。また、ネットワーク（例えば、無線基地局）は、どのサブフレームでどのサービングセルセットのＣＳＩを送信するかを示す情報（例えば、サブフレームの時間間隔、サブフレームセットの種類など）を、ＲＲＣシグナリングなどの上位レイヤシグナリングにより、ユーザ端末に通知してもよい。
【００６３】
このように、ユーザ端末は、単一のＡ−ＣＳＩトリガに応じて、複数のサブフレームに渡って異なるサービングセルセットのＣＳＩを送信する。このため、無線基地局は、Ａ−ＣＳＩトリガによりＣＳＩの送信を指示するだけで、ＣＳＩを報告可能なサービングセルセットを増加させることができる。この結果、ユーザ端末あたりに設定可能なＣＣ数（サービングセル数）が６個以上に拡張される場合にも、Ａ−ＣＳＩトリガのビット数を増加させずに、非周期ＣＳＩ報告の柔軟性を確保できる。
【００６４】
（態様３）
態様３に係る非周期ＣＳＩ報告では、２ビットのＡ−ＣＳＩトリガに加えて、３ビット以上にビット数を増加させたＡ−ＣＳＩトリガ（以下、拡張Ａ−ＣＳＩトリガという）が用いられる。具体的には、無線基地局は、キャリアアグリゲーションにおいて設定可能なＣＣ数が６以上であるユーザ端末に対しては、拡張Ａ−ＣＳＩトリガを含むＵＬグラントにより、ＣＳＩの送信を指示する。
【００６５】
図９は、拡張Ａ−ＣＳＩトリガの一例の説明図である。図９では、拡張Ａ−ＣＳＩトリガが４ビットである例を説明するが、ビット数は３ビット以上であれば、４ビットに限られない。図９に示すように、４ビットの拡張Ａ−ＣＳＩトリガでは、値“００１０”−“１１１１”を用いて、１４種類のサービングセルセットにおけるＣＳＩの送信が指示される。なお、図９の値の割り当ては、例示にすぎず、これに限られない。
【００６６】
このように、拡張Ａ−ＣＳＩトリガでは、ＣＳＩの送信を指示可能なサービングセルセット数を２種類（図２参照）から増加させることができる。したがって、ユーザ端末あたりに設定可能なＣＣ数（サービングセル数）が６個以上に拡張される場合、拡張Ａ−ＣＳＩトリガを用いることで非周期ＣＳＩ報告の柔軟性を確保できる。
【００６７】
なお、ユーザ端末は、ユーザ端末固有サーチスペース（ＵＥ−ＳＳ）において、拡張Ａ−ＣＳＩトリガ（図９参照）を含む下り制御信号（ＰＤＣＣＨ）だけをブラインド復号してもよいし（態様３．１）、２ビットのＡ−ＣＳＩトリガ（図２参照）を含むＰＤＣＣＨと拡張Ａ−ＣＳＩトリガを含むＰＤＣＣＨとの双方をブラインド復号してもよい（態様３．２）。
【００６８】
（態様３．１）
態様３．１に係る非周期ＣＳＩ報告では、ユーザ端末は、キャリアアグリゲーションにおいて６以上のＣＣを設定可能である場合、ＵＥ−ＳＳにおいて、２ビットのＡ−ＣＳＩトリガを含むＰＤＣＣＨの代わりに、拡張Ａ−ＣＳＩトリガを含むＰＤＣＣＨをブラインド復号する。また、ユーザ端末は、共通サーチスペース（Ｃ−ＳＳ）において、１ビットのＡ−ＣＳＩトリガを含むＰＤＣＣＨをブラインド復号する。
【００６９】
また、ユーザ端末は、所定のトリガに基づいて、ＵＥ−ＳＳにおけるブラインド復号を拡張Ａ−ＣＳＩトリガを含むＰＤＣＣＨをから２ビットのＡ−ＣＳＩトリガを含むＰＤＣＣＨに切り替えてもよい。所定のトリガは、例えば、ＲＲＣ等上位レイヤシグナリングによって設定されるＣＣの数がＲｅｌ．１２以前で規定されたＣＡと同数かそれ以下になった場合や、ＭＡＣ  Ｄｅ−ａｃｔｉｖａｔｉｏｎによって活性化されるＣＣの数がＲｅｌ．１２以前で規定されたＣＡと同数かそれ以下になった場合であってもよい。これにより、拡張Ａ−ＣＳＩトリガからＬＴＥ  Ｒｅｌ．１０−１２のＡ−ＣＳＩトリガ（図２参照）へのフォールバックを簡便に行うことができる。
【００７０】
（態様３．２）
態様３．２に係る非周期ＣＳＩ報告では、ユーザ端末は、キャリアアグリゲーションにおいて６以上のＣＣを設定可能である場合、ＵＥ−ＳＳにおいて、２ビットのＡ−ＣＳＩトリガと拡張Ａ−ＣＳＩトリガとの双方をブラインド復号する。また、ユーザ端末は、共通サーチスペース（Ｃ−ＳＳ）において、１ビットのＡ−ＣＳＩトリガをブラインド復号する。
【００７１】
また、ユーザ端末は、所定のトリガに基づいて、ＵＥ−ＳＳにおけるブラインド復号を、２ビットのＡ−ＣＳＩトリガと拡張Ａ−ＣＳＩトリガの双方から、２ビットのＡ−ＣＳＩトリガだけに切り替えてもよい。これにより、ＬＴＥ  Ｒｅｌ．１０−１２のＵＥ−ＳＳにおけるブラインド復号（すなわち、拡張Ａ−ＣＳＩトリガなしのブラインド復号）へのフォールバックを簡便に行うことができる。
【００７２】
以上の態様３では、ユーザ端末には、２ビットのＡ−ＣＳＩトリガで指定されるサービングセルセットと、拡張Ａ−ＣＳＩトリガで指定されるサービングセルセットのそれぞれを、ＲＲＣ等上位レイヤシグナリングで設定されるものとすることができる。あるいは、拡張Ａ−ＣＳＩトリガで指定されるサービングセルセットのみをＲＲＣ等上位レイヤシグナリングで設定し、２ビットのＡ−ＣＳＩトリガで指定するサービングセルセットは、図９において００１０と００１１に対応する２つであるものとすることができる。この場合、それぞれのＡ−ＣＳＩトリガ向けに異なるサービングセルセットを設定しなくてもよくなるため、上位レイヤシグナリングのオーバヘッドを削減することができる。
【００７３】
以上の態様３（態様３．１及び３．２を含む）に係る非周期ＣＳＩ報告では、無線基地局は、拡張Ａ−ＣＳＩトリガを含むＵＬグラントを、２ビットのＡ−ＣＳＩトリガを含むＵＬグラントとは異なる特定のサービングセル（ＣＣ）又は特定のサブフレームで送信してもよい。
【００７４】
また、ユーザ端末は、特定のサービングセル（ＣＣ）又は特定のサブフレームでのみ、拡張Ａ−ＣＳＩトリガのブラインド復号を行ってもよい。特定のサービングセル（ＣＣ）又は特定のサブフレームを示す情報は、ＲＲＣなどの上位レイヤシグナリングにより、ユーザ端末に通知（configure）されてもよい。この場合、拡張Ａ−ＣＳＩトリガのブラインド復号によるユーザ端末の処理負担増加を特定のサービングセル（ＣＣ）又は特定のサブフレームのみに限定できる。また、ＵＬグラントに拡張Ａ−ＣＳＩトリガを含めることによるオーバヘッドの増加も特定のサブフレームのみに限定できる。
【００７５】
また、態様３に係る非周期ＣＳＩ報告では、無線基地局は、特定の下り制御チャネルでのみ、拡張Ａ−ＣＳＩトリガを含むＵＬグラントを送信してもよい。ユーザ端末は、特定の下り制御チャネルで、拡張Ａ−ＣＳＩトリガのブラインド復号を行ってもよい。
【００７６】
ここで、特定の下り制御チャネルとは、ＰＵＳＣＨと周波数分割多重される拡張下り制御チャネル（ＥＰＤＣＣＨ：Enhanced  Physical  Downlink  Control  Channel）であってもよい。また、特定の下り制御チャネルとは、ＰＤＣＣＨ又はＥＰＤＣＣＨに配置されるＵＥ−ＳＳであってもよい。また、特定の下り制御チャネルとは、ＥＰＤＣＣＨとして設定される２セットのＥＰＤＣＣＨセットのうちのいずれか一方であってもよい。なお、ＥＰＤＣＣＨには、複数の物理リソースブロック（ＰＲＢ：Physical  Resource  Block）ペアが割り当てられ、各ＥＰＤＣＣＨセットは、異なる複数のＰＲＢペアで構成されてもよい。また、特定の下り制御チャネルとは、ブラインド復号を行う複数のアグリゲーションレベル（例えば、アグリゲーションレベル＝１、２、４、８）のうちの特定のアグリゲーションレベルであってもよい。
【００７７】
特定の下り制御チャネルで拡張Ａ−ＣＳＩトリガのブラインド復号を行う場合、拡張Ａ−ＣＳＩトリガのブラインド復号によるユーザ端末の処理負担増加を上記特定の下り制御チャネルのみに限定できる。また、ＵＬグラントに拡張Ａ−ＣＳＩトリガを含めることによるオーバヘッドの増加も上記特定の下り制御チャネルのみに限定できる。
【００７８】
（無線通信システムの構成）
以下、本実施の形態に係る無線通信システムの構成について説明する。この無線通信システムでは、上述の態様１−３に係る非周期ＣＳＩ報告を行う無線通信方法が適用される。
【００７９】
図１０は、本実施の形態に係る無線通信システムの一例を示す概略構成図である。この無線通信システムでは、ＬＴＥシステムのシステム帯域幅を１単位とする複数の基本周波数ブロック（コンポーネントキャリア）を一体としたキャリアアグリゲーションを適用できる。また、この無線通信システムは、ライセンスバンドを利用可能な無線基地局だけでなく、アンライセンスバンドを利用可能な無線基地局を有してもよい。
【００８０】
図１０に示すように、無線通信システム１は、複数の無線基地局１０（１１および１２）と、各無線基地局１０によって形成されるセル内にあり、各無線基地局１０と通信可能に構成された複数のユーザ端末２０と、を備えている。無線基地局１０は、それぞれ上位局装置３０に接続され、上位局装置３０を介してコアネットワーク４０に接続される。
【００８１】
図１０において、無線基地局１１は、たとえば相対的に広いカバレッジを有するマクロ基地局で構成され、マクロセルＣ１を形成する。無線基地局１２は、局所的なカバレッジを有するスモール基地局で構成され、スモールセルＣ２を形成する。なお、無線基地局１１および１２の数は、図１０に示す数に限られない。
【００８２】
例えば、マクロセルＣ１をライセンスバンドで運用し、スモールセルＣ２をアンライセンスバンドで運用する形態であってもよい。又は、スモールセルＣ２の一部をアンライセンスバンドで運用し、残りのスモールセルＣ２をライセンスバンドで運用する形態であってもよい。無線基地局１１および１２は、基地局間インタフェース（たとえば、光ファイバ、Ｘ２インタフェース）を介して互いに接続される。
【００８３】
ユーザ端末２０は、無線基地局１１および無線基地局１２の双方に接続可能である。ユーザ端末２０は、異なる周波数を用いるマクロセルＣ１およびスモールセルＣ２を、キャリアアグリゲーションにより同時に使用することが想定される。たとえば、ライセンスバンドを利用する無線基地局１１からユーザ端末２０に対して、アンライセンスバンドを利用する無線基地局１２に関するアシスト情報（例えば、下り信号構成）を送信できる。また、ライセンスバンドおよびアンライセンスバンドでキャリアアグリゲーションする場合、１つの無線基地局（例えば、無線基地局１１）が、ライセンスバンドセルおよびアンライセンスバンドセルのスケジュールを制御する構成としてもよい。
【００８４】
ユーザ端末２０は、無線基地局１１に接続せず、無線基地局１２に接続する構成としてもよい。たとえば、アンライセンスバンドを利用する無線基地局１２が、ユーザ端末２０とスタンドアローンで接続する構成としてもよい。この場合、無線基地局１２が、アンライセンスバンドセルのスケジュールを制御する。
【００８５】
上位局装置３０には、たとえば、アクセスゲートウェイ装置、無線ネットワークコントローラ（ＲＮＣ）、モビリティマネジメントエンティティ（ＭＭＥ）等が含まれるが、これに限定されるものではない。
【００８６】
無線通信システム１では、下りリンクのチャネルとして、各ユーザ端末２０で共有される下り共有チャネル（ＰＤＳＣＨ：Physical  Downlink  Shared  Channel）、下り制御チャネル（ＰＤＣＣＨ：Physical  Downlink  Control  Channel、ＥＰＤＣＣＨ：Enhanced  Physical  Downlink  Control  Channel）、報知チャネル（ＰＢＣＨ：Physical  Broadcast  Channel）などが用いられる。ＰＤＳＣＨにより、ユーザデータや上位レイヤ制御情報、所定のＳＩＢ（System  Information  Block）が伝送される。ＰＤＣＣＨ、ＥＰＤＣＣＨにより、下り制御情報（ＤＣＩ：Downlink  Control  Information）が伝送される。
【００８７】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）などが用いられる。ＰＵＳＣＨにより、ユーザデータや上位レイヤ制御情報が伝送される。
【００８８】
図１１は、本実施の形態に係る無線基地局１０の全体構成図である。図１１に示すように、無線基地局１０は、ＭＩＭＯ（Multiple-Input  and  Multiple-Output）伝送のための複数の送受信アンテナ１０１と、アンプ部１０２と、送受信部（送信部及び受信部）１０３と、ベースバンド信号処理部１０４と、呼処理部１０５と、インタフェース部１０６とを備えている。
【００８９】
下りリンクにより無線基地局１０からユーザ端末２０に送信されるユーザデータは、上位局装置３０からインタフェース部１０６を介してベースバンド信号処理部１０４に入力される。
【００９０】
ベースバンド信号処理部１０４では、ＰＤＣＰ（Packet  Data  Convergence  Protocol）レイヤの処理、ユーザデータの分割・結合、ＲＬＣ（Radio  Link  Control）再送制御の送信処理などのＲＬＣレイヤの送信処理、ＭＡＣ（Medium  Access  Control）再送制御、たとえば、ＨＡＲＱ（Hybrid  Automatic  Repeat  Request）の送信処理、スケジューリング、伝送フォーマット選択、チャネル符号化、逆高速フーリエ変換（ＩＦＦＴ：Inverse  Fast  Fourier  Transform）処理、プリコーディング処理が行われて各送受信部１０３に転送される。また、下り制御信号に関しても、チャネル符号化や逆高速フーリエ変換等の送信処理が行われて、各送受信部１０３に転送される。
【００９１】
各送受信部１０３は、ベースバンド信号処理部１０４からアンテナごとにプリコーディングして出力された下り信号を無線周波数帯に変換する。アンプ部１０２は、周波数変換された無線周波数信号を増幅して送受信アンテナ１０１により送信する。送受信部１０３には、本発明に係る技術分野での共通認識に基づいて説明されるトランスミッタ／レシーバ、送受信回路または送受信装置を適用できる。
【００９２】
送受信部１０３は、下り信号を送信し、上り信号を受信する。具体的には、送受信部１０３は、後述する下り制御信号生成部３０２で生成される下り制御信号、下りデータ信号生成部３０３で生成される下りデータ信号及び下り参照信号生成部３０４で生成される下り参照信号を送信する。また、送受信部１０３は、後述する上り制御信号生成部４０２で生成される上り制御信号、上りデータ信号生成部４０３で生成される上りデータ信号を受信する。
【００９３】
上り信号については、各送受信アンテナ１０１で受信された無線周波数信号がそれぞれアンプ部１０２で増幅され、各送受信部１０３で周波数変換されてベースバンド信号に変換され、ベースバンド信号処理部１０４に入力される。
【００９４】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ、ＰＤＣＰレイヤの受信処理がなされ、インタフェース部１０６を介して上位局装置３０に転送される。呼処理部１０５は、通信チャネルの設定や解放などの呼処理や、無線基地局１０の状態管理や、無線リソースの管理を行う。
【００９５】
インタフェース部１０６は、基地局間インタフェース（例えば、光ファイバ、Ｘ２インタフェース）を介して隣接無線基地局と信号を送受信（バックホールシグナリング）する。あるいは、インタフェース部１０６は、所定のインタフェースを介して、上位局装置３０と信号を送受信する。
【００９６】
図１２は、本実施の形態に係る無線基地局１０が有するベースバンド信号処理部１０４の主な機能構成図である。図１２に示すように、無線基地局１０が有するベースバンド信号処理部１０４は、制御部３０１と、下り制御信号生成部３０２と、下りデータ信号生成部３０３と、下り参照信号生成部３０４と、上り制御信号復号部３０５と、上りデータ信号復号部３０６と、を少なくとも含んで構成されている。
【００９７】
制御部３０１は、上位局装置３０からの指示情報や各ユーザ端末２０からのフィードバック情報に基づいて、下りユーザデータに対する下りデータ信号（ＰＤＳＣＨ信号）の割り当て、上りユーザデータに対する上りデータ信号（ＰＵＳＣＨ信号）の割り当てを制御する。つまり、制御部３０１は、スケジューラとしての機能を有している。
【００９８】
また、制御部３０１は、ユーザ端末２０からのフィードバック情報（例えば、ＣＳＩ）に基づいて、ユーザ端末２０に対するコンポーネントキャリア（ＣＣ）の設定を制御する。制御部３０１には、本発明に係る技術分野での共通認識に基づいて説明されるコントローラ、制御回路または制御装置を適用できる。
【００９９】
また、制御部３０１は、非周期ＣＳＩ報告におけるＣＳＩの送信指示（Ａ−ＣＳＩトリガ）を制御する。具体的には、制御部３０１は、Ａ−ＣＳＩトリガを含む上りスケジューリンググラント（ＵＬグラント）に基づいて異なるサービングセルセットのＣＳＩの送信を指示してもよい（態様１）。
【０１００】
例えば、制御部３０１は、ＵＬグラントを送信するサービングセル（態様１．１）又はサブフレーム（態様１．３）に応じて異なるサービングセルセットのＣＳＩの送信を指示してもよい。この場合、制御部３０１は、所望のサービングセルセットに関連付けられるサービングセル又はサブフレームでＡ−ＣＳＩトリガを含むＵＬグラントを送信するように、下り制御信号生成部３０２を指示してもよい。
【０１０１】
また、制御部３０１は、ＵＬグラントが指示するＰＵＳＣＨが送信されるサービングセル（態様１．２）又はサブフレーム（態様１．４）に応じて異なるサービングセルセットのＣＳＩの送信を指示してもよい。この場合、制御部３０１は、所望のサービングセルセットに関連付けられるサービングセル又はサブフレームにＰＵＳＣＨを割り当て、当該割り当てを示すＵＬグラントにＡ−ＣＳＩトリガを含めるように下り制御信号生成部３０２を指示してもよい。
【０１０２】
また、制御部３０１は、単一のＡ−ＣＳＩトリガを用いて複数のサブフレームに渡る異なるサービングセルセットのＣＳＩの送信を指示してもよい（態様２）。制御部３０１は、ビット数が３ビット以上である拡張Ａ−ＣＳＩトリガを用いて異なるサービングセルセットのＣＳＩの送信を指示してもよい（態様３）。
【０１０３】
下り制御信号生成部３０２は、制御部３０１から指示に基づいて、下り制御信号（ＰＤＣＣＨ信号とＥＰＤＣＣＨ信号の少なくとも一つ）を生成し、符号化、変調、マッピングなどの送信処理を行う。下り制御信号生成部３０２により生成される下り制御信号には、ＰＤＳＣＨの割り当てを示す下りアサインメントと、制御部３０１によるＰＵＳＣＨの割り当てを示すＵＬグラントが含まれる。
【０１０４】
ＵＬグラントには、制御部３０１からの指示に基づいて、１ビット又は２ビットのＡ−ＣＳＩトリガが含められてもよいし（態様１及び２）、３ビット以上の拡張Ａ−ＣＳＩトリガが含められてもよい（態様３）。また、下り制御信号生成部３０２は、特定のサービングセル（ＣＣ）、特定のサブフレーム、又は特定の下り制御チャネルでのみ、拡張Ａ−ＣＳＩトリガをＵＬグラントに含めてもよい（態様３）。
【０１０５】
下りデータ信号生成部３０３は、制御部３０１による割り当てに従って、下りデータ信号（ＰＤＳＣＨ信号）を生成し、符号化、変調、マッピングなどの送信処理を行う。下りデータ信号生成部３０３により生成される下りデータ信号には、下りユーザデータと、ＲＲＣシグナリングなどの上位レイヤシグナリングにより通知（configure）される上位レイヤ制御情報が含まれる。
【０１０６】
上位レイヤ制御情報には、ユーザ端末２０に設定されるＣＣを示す情報、各サービングセルセットを構成するサービングセルを示す情報などが含まれる。また、上位レイヤ制御情報には、サービングセルとＡ−ＣＳＩトリガの値とサービングセルセットとを関連付ける情報（態様１．１及び１．２）、サブフレームとＡ−ＣＳＩトリガの値とサービングセルセットとを関連付ける情報（態様１．３及び１．４）などが含まれてもよい。
【０１０７】
下り参照信号生成部３０４は、制御部３０１から指示に基づいて、下り参照信号を生成する。下り参照信号には、ユーザ端末２０におけるＣＳＩの測定に用いられるチャネル状態情報参照信号（ＣＳＩ−ＲＳ：Channel  State  Information  Reference  Signal）などが含まれる。
【０１０８】
下り制御信号生成部３０２で生成される下り制御信号、下りデータ信号生成部３０３で生成される下りデータ信号、下り参照信号生成部３０４は、所定の無線リソース（例えば、物理リソースブロック（ＰＲＢ）、ＰＲＢペア、リソースエレメント（ＲＥ）など）にマッピングされ、送受信部１０３に出力される。下り制御信号生成部３０２、下りデータ信号生成部３０３、下り参照信号生成部３０４には、本発明に係る技術分野での共通認識に基づいて説明される信号生成器または信号生成回路を適用できる。
【０１０９】
上り制御信号復号部３０５には、送受信部１０３で受信された上り信号から分離された上り制御信号（ＰＵＣＣＨ信号）が入力される。上り制御信号復号部３０５は、当該上り制御信号に含まれるフィードバック情報（例えば、ＡＣＫ／ＮＡＣＫなどの送達確認情報）を復号し、制御部３０１に出力する。
【０１１０】
上りデータ信号復号部３０６には、送受信部１０３で受信された上り信号から分離された上りデータ信号（ＰＵＳＣＨ信号）が入力される。上りデータ信号復号部３０６は、当該上りデータ信号に含まれる上りユーザデータ及びフィードバック情報を復号する。上りデータ信号復号部３０６で復号されるフィードバック情報には、上述のＡ−ＣＳＩトリガ及び拡張Ａ−ＣＳＩトリガの少なくとも一つに応じて送信されたＣＳＩが含まれる。上りデータ信号復号部３０６は、復号されたフィードバック情報を制御部３０１に出力する。
【０１１１】
図１３は、本実施の形態に係るユーザ端末２０の全体構成図である。図１３に示すように、ユーザ端末２０は、ＭＩＭＯ伝送のための複数の送受信アンテナ２０１と、アンプ部２０２と、送受信部（送信部および受信部）２０３と、ベースバンド信号処理部２０４と、アプリケーション部２０５と、を備えている。
【０１１２】
下り信号については、複数の送受信アンテナ２０１で受信された無線周波数信号がそれぞれアンプ部２０２で増幅され、送受信部２０３で周波数変換されてベースバンド信号に変換される。このベースバンド信号は、ベースバンド信号処理部２０４でＦＦＴ処理や、誤り訂正復号、再送制御の受信処理などがなされる。この下り信号のうち、下りユーザデータは、アプリケーション部２０５に転送される。アプリケーション部２０５は、物理レイヤやＭＡＣレイヤより上位のレイヤに関する処理などを行う。送受信部２０３には、本発明に係る技術分野での共通認識に基づいて説明されるトランスミッタ／レシーバ、送受信回路または送受信装置を適用できる。
【０１１３】
一方、上りユーザデータについては、アプリケーション部２０５からベースバンド信号処理部２０４に入力される。ベースバンド信号処理部２０４では、再送制御（ＨＡＲＱ）の送信処理や、チャネル符号化、プリコーディング、離散フーリエ変換（ＤＦＴ）処理、逆高速フーリエ変換（ＩＦＦＴ）処理などが行われて各送受信部２０３に転送される。送受信部２０３は、ベースバンド信号処理部２０４から出力されたベースバンド信号を無線周波数帯に変換する。その後、アンプ部２０２は、周波数変換された無線周波数信号を増幅して送受信アンテナ２０１により送信する。
【０１１４】
送受信部２０３は、下り信号を受信し、上り信号を送信する。具体的には、上述の下り制御信号生成部３０２で生成される下り制御信号、下りデータ信号生成部３０３で生成される下りデータ信号及び下り参照信号生成部３０４で生成される下り参照信号を受信する。また、送受信部２０３は、後述する上り制御信号生成部４０２で生成される上り制御信号、上りデータ信号生成部４０３で生成される上りデータ信号を送信する。
【０１１５】
図１４は、ユーザ端末２０が有するベースバンド信号処理部２０４の主な機能構成図である。図１４に示すように、ユーザ端末２０が有するベースバンド信号処理部２０４は、制御部４０１と、上り制御信号生成部４０２と、上りデータ信号生成部４０３と、チャネル推定部４０４と、下り制御信号復号部４０５と、下りデータ信号復号部４０６と、を少なくとも含んで構成されている。
【０１１６】
制御部４０１は、無線基地局１０から送信された下り制御信号（ＰＤＣＣＨ信号、ＥＰＤＣＣＨ信号）に基づいて、上り制御信号（ＰＵＣＣＨ信号）や上りデータ信号（ＰＵＳＣＨ信号）の生成を制御する。制御部４０１には、本発明に係る技術分野での共通認識に基づいて説明されるコントローラ、制御回路または制御装置が適用される。
【０１１７】
また、制御部４０１は、６個以上のＣＣのサービングセルを用いた無線基地局１０との通信を制御する。無線基地局１０との通信に用いられるＣＣは、無線基地局１０により設定（configure）される。
【０１１８】
また、制御部４０１は、非周期ＣＳＩ報告におけるＣＳＩの送信を制御する。具体的には、制御部４０１は、Ａ−ＣＳＩトリガを含む上りスケジューリンググラント（ＵＬグラント）に基づいて異なるサービングセルセットのＣＳＩを送信するように、上りデータ信号生成部４０３を制御する（態様１）。
【０１１９】
例えば、制御部４０１は、上記ＵＬグラントを受信するサービングセル（態様１．１）又はサブフレーム（態様１．３）に応じて異なるサービングセルセットのＣＳＩを送信するように、上りデータ信号生成部４０３に指示してもよい。すなわち、制御部４０１は、上記ＵＬグラントを受信するサービングセル又はサブフレームに関連付けられるサービングセルセットのＣＳＩを送信するように、上りデータ信号生成部４０３に指示する。
【０１２０】
また、制御部４０１は、上記ＵＬグラントが指示するＰＵＳＣＨが送信されるサービングセル（態様１．２）又はサブフレーム（態様１．４）に応じて異なるサービングセルセットのＣＳＩを送信するように、上りデータ信号生成部４０３に指示してもよい。すなわち、制御部４０１は、上記ＰＵＳＣＨが送信されるサービングセル又はサブフレームに関連付けられるサービングセルセットのＣＳＩを送信するように、上りデータ信号生成部４０３に指示する。
【０１２１】
また、制御部４０１は、単一のＡ−ＣＳＩトリガにより複数のサブフレームに渡り異なるサービングセルセットのＣＳＩを送信するように、上りデータ信号生成部４０３に指示してもよい（態様２）。制御部４０１は、ビット数が３ビット以上である拡張Ａ−ＣＳＩトリガが示すサービングセルセットのＣＳＩを送信するように、上りデータ信号生成部４０３に指示してもよい（態様３）。
【０１２２】
上り制御信号生成部４０２は、制御部４０１から指示に基づいて、上り制御信号（ＰＵＣＣＨ信号）を生成し、符号化、変調、マッピングなどの送信処理を行う。上り制御信号生成部４０２により生成される上り制御信号には、無線基地局１０に対するフィードバック情報（例えば、下りデータ信号（ＰＤＳＣＨ信号）の送達確認情報（ＡＣＫ／ＮＡＣＫ）など）が含まれる。
【０１２３】
上りデータ信号生成部４０３は、制御部４０１からの指示に基づいて、上りデータ信号（ＰＵＳＣＨ信号）を生成し、符号化、変調、マッピングなどの送信処理を行う。上りデータ信号生成部４０３により生成される上りデータ信号には、上りユーザデータに加えて、無線基地局１０に対するフィードバック情報が含められてもよい。このフィードバック情報には、下りデータ信号（ＰＤＳＣＨ信号）の送達確認情報（ＡＣＫ／ＮＡＣＫ）、上記非周期ＣＳＩ報告で報告されるＣＳＩなどが含まれる。
【０１２４】
なお、上り制御信号生成部４０２で生成される上り制御信号、上りデータ信号生成部４０３で生成される上りデータ信号は、所定の無線リソース（例えば、ＰＲＢ、ＰＲＢペア、リソースエレメント（ＲＥ）など）にマッピングされ、送受信部２０３に出力される。上り制御信号生成部４０２、上りデータ信号生成部４０３には、本発明に係る技術分野での共通認識に基づいて説明される信号生成器または信号生成回路を適用できる。
【０１２５】
チャネル推定部４０４には、送受信部２０３で受信された下り信号から分離された下り参照信号（例えば、ＣＳＩ−ＲＳ）が入力される。チャネル推定部４０４は、下り参照信号に基づいて、各ＣＣのサービングセルのチャネル状態を推定する。チャネル推定部４０４は、推定されたチャネル状態を示すチャネル状態情報（ＣＳＩ）を生成し、上りデータ信号生成部４０３に出力する。
【０１２６】
下り制御信号復号部４０５には、送受信部２０３で受信された下り信号から分離された下り制御信号（ＰＤＣＣＨ信号、ＥＰＤＣＣＨ信号）が入力される。下り制御信号復号部４０５は、下り制御信号を所定のＤＣＩフォーマットに従ってブラインド復号し、検出されたＵＬグラントを制御部４０１に出力する。
【０１２７】
具体的には、下り制御信号復号部４０５は、共通サーチスペース（Ｃ−ＳＳ）において1ビットのＡ−ＣＳＩトリガをブラインド復号する。また、下り制御信号復号部４０５は、ユーザ端末固有サーチスペース（ＵＥ−ＳＳ）において２ビットのＡ−ＣＳＩトリガをブラインド復号する（態様１及び２）。また、下り制御信号復号部４０５は、ＵＥ−ＳＳにおいて３ビット以上の拡張Ａ−ＣＳＩトリガをブラインド復号してもよい（態様３）。この場合、下り制御信号復号部４０５は、ＵＥ−ＳＳにおいて、拡張Ａ−ＣＳＩトリガだけをブラインド復号してもよいし（態様３．１）、２ビットのＡ−ＣＳＩトリガと拡張Ａ−ＣＳＩトリガとの双方をブラインド復号してもよい（態様３．２）。また、下り制御信号復号部４０５は、特定のサービングセル（ＣＣ）、特定のサブフレーム、又は特定の下り制御チャネルでのみ、拡張Ａ−ＣＳＩトリガをブラインド復号してもよい。
【０１２８】
下りデータ信号復号部４０６には、送受信部２０３で受信された下り信号から分離された下りデータ信号（ＰＤＳＣＨ信号）が入力される。下りデータ信号復号部４０６は、当該下りデータ信号に含まれる下りユーザデータ及び上位レイヤ制御情報を復号する。上位レイヤ制御情報は、制御部４０１に出力される。
【０１２９】
なお、本発明は上記実施の形態に限定されず、さまざまに変更して実施可能である。上記実施の形態において、添付図面に図示されている大きさや形状などについては、これに限定されず、本発明の効果を発揮する範囲内で適宜変更が可能である。その他、本発明の目的の範囲を逸脱しない限りにおいて適宜変更して実施可能である。
【０１３０】
本出願は、２０１５年１月２９日出願の特願２０１５−０１５９２４に基づく。この内容は、全てここに含めておく。
【図１】
2016121912.tif 000003
【図２】
2016121912.tif 000004
【図３】
2016121912.tif 000005
【図４】
2016121912.tif 000006
【図５】
2016121912.tif 000007
【図６】
2016121912.tif 000008
【図７】
2016121912.tif 000009
【図８】
2016121912.tif 000010
【図９】
2016121912.tif 000011
【図１０】
2016121912.tif 000012
【図１１】
2016121912.tif 000013
【図１２】
2016121912.tif 000014
【図１３】
2016121912.tif 000015
【図１４】
2016121912.tif 000016
【手続補正書】
【提出日】平成29年9月7日(2017.9.7)
【手続補正１】
【補正対象書類名】特許請求の範囲
【補正対象項目名】全文
【補正方法】変更
【補正の内容】
【特許請求の範囲】
【請求項１】
少なくとも一つのサービングセルのチャネル状態情報の送信指示を受信する受信部と、
前記チャネル状態情報の送信指示に基づいてチャネル状態情報を送信する送信部と、を具備し、
前記受信部は、６セル以上が設定される場合、ユーザ端末固有サーチスペースにおいて２ビットより多いチャネル状態情報のトリガビットを含む下り制御チャネルを受信することを特徴とするユーザ端末。
【請求項２】
前記受信部は、１ビットのチャネル状態情報のトリガビットを含む下り制御チャネルを受信することを特徴とする請求項１記載のユーザ端末。
【請求項３】
所定のトリガに基づいて、ユーザ端末固有サーチスペースにおいて２ビットより少ないチャネル状態情報のトリガビットを含む下り制御チャネルを受信する代わりに２ビットより多いチャネル状態情報のトリガビットを含む下り制御チャネルを受信することを特徴とする請求項１又は請求項２記載のユーザ端末。
【請求項４】
少なくとも一つのサービングセルのチャネル状態情報の送信指示を送信する送信部を有する無線基地局と、
前記チャネル状態情報の送信指示に基づいてチャネル状態情報を送信する送信部を有するユーザ端末と、を具備し、
前記ユーザ端末は、６セル以上が設定される場合、ユーザ端末固有サーチスペースにおいて２ビットより多いチャネル状態情報のトリガビットを含む下り制御チャネルを受信することを特徴とする無線通信システム。
【請求項５】
無線基地局において、少なくとも一つのサービングセルのチャネル状態情報の送信指示を送信するステップと、
ユーザ端末において、前記チャネル状態情報の送信指示に基づいてチャネル状態情報を送信するステップと、
６セル以上が設定される場合、ユーザ端末固有サーチスペースにおいて２ビットより多いチャネル状態情報のトリガビットを含む下り制御チャネルを受信するステップと、を有することを特徴とする無線通信方法。
【手続補正３】
【補正対象書類名】明細書
【補正対象項目名】０００１
【補正方法】変更
【補正の内容】
【０００１】
本発明は、次世代移動通信システムにおけるユーザ端末、無線通信システム及び無線通信方法に関する。
【手続補正４】
【補正対象書類名】明細書
【補正対象項目名】００１０
【補正方法】変更
【補正の内容】
【００１０】
本発明はかかる点に鑑みてなされたものであり、ユーザ端末あたりに設定可能なコンポーネントキャリア数が既存システムより拡張される場合であっても、非周期ＣＳＩ報告を柔軟に行うことが可能なユーザ端末、無線通信システムおよび無線通信方法を提供することを目的とする。
【手続補正５】
【補正対象書類名】明細書
【補正対象項目名】００１１
【補正方法】変更
【補正の内容】
【００１１】
本発明の一態様に係るユーザ端末は、少なくとも一つのサービングセルのチャネル状態情報の送信指示を受信する受信部と、前記チャネル状態情報の送信指示に基づいてチャネル状態情報を送信する送信部と、を具備し、前記受信部は、６セル以上が設定される場合、ユーザ端末固有サーチスペースにおいて２ビットより多いチャネル状態情報のトリガビットを含む下り制御チャネルを受信することを特徴とする。
【国際調査報告】
2016121912.tif 000017
2016121912.tif 000018